(57)【要約】【課題】メイン端末である無線親機又はサブ端末である無線子機を操作することにより、どの無線子機がどの無線親機と縁組みされているかを即座に確認可能となる無線テレメータシステムを提供する。【解決手段】無線テレメータシステムにおいて、センターネットワーク装置１２に電話回線２４を介して接続された端末ネットワーク装置１３に複数の無線親機１４，１５，１６が有線接続され、複数の無線子機１７〜２２にはマイコンメータ２３がそれぞれ有線続されている。無線親機に備わる操作手段の操作に応じて、無線親機１４側で縁組済みとされるすべての無線子機１７，１８に縁組確認用通信を開始し、受信した無線子機は、既に縁組済みの場合、縁組済みの無線子機である旨の表示をする。その表示を認識することで、当該無線子機は目的の無線親機と縁組済みである旨を確認することができる。【選択図】図１
2007173965.tif 000002
【特許請求の範囲】
【請求項１】
センターネットワーク装置に電話網を介して接続された端末ネットワーク装置と、前記端末ネットワーク装置に有線接続された複数の無線親機と、複数の前記無線子機に各有線続されたマイコンメータとによって構成された無線テレメータシステムにおいて、
前記無線親機が当該無線親機側で縁組済みとされる前記無線子機のすべてに縁組確認用通信を開始し、前記縁組確認用通信を受信した前記無線子機は、前記無線親機との間で既に縁組済みの場合、表示手段に当該縁組済みの無線子機である旨の表示をすることを特徴とする無線テレメータシステム。
【請求項２】
前記表示手段はＬＥＤ等の点灯手段であることを特徴とする請求項１に記載の無線テレメータシステム。
【請求項３】
前記無線親機から前記無線子機への前記通信は、同時に行われる同報通信であることを特徴とする請求項１に記載の無線テレメータシステム。
【請求項４】
複数の前記無線親機との間で縁組済みの前記無線子機が前記縁組確認用通信を受信したときに、縁組み時に登録された前記無線親機の識別符号に基づいて前記無線子機の前記表示手段で表示される表示パターンを変更することを特徴とする請求項１〜３のいずれか１項に記載の無線テレメータシステム。
【請求項５】
前記表示手段の表示パターンは、前記無線親機の前記識別符号の下１桁の符号を用いて変更されることを特徴とする請求項４に記載の無線テレメータシステム。
【請求項６】
前記縁組確認用通信は前記無線親機自身の製造番号を含み、前記縁組確認用通信を受信した前記無線子機は、前記表示手段に前記製造番号を１桁ずつ表示させることを特徴とする請求項４に記載の無線テレメータシステム。
【請求項７】
前記表示手段は、前記無線親機の前記製造番号を一桁ずつ、一定時間の経過により又は前記無線子機の操作により、切り替えることを特徴とする請求項６に記載の無線テレメータシステム。
【請求項８】
前記無線子機が当該無線子機との間で縁組済みの前記無線親機と通信を開始し、前記通信を受信した前記無線親機が縁組済みの前記無線子機のすべてに対して同時に前記縁組確認用通信を開始して、前記縁組確認用通信を受信した前記無線子機が前記表示をすることで縁組済みの前記無線子機を確認することを特徴とする請求項１〜７のいずれか１項に記載の無線テレメータシステム。
【請求項９】
前記無線子機に設定器を接続し、前記設定器から電文を送信することで前記無線親機との前記通信を開始して、前記無線親機が縁組済みの前記無線子機のすべてに同時に前記縁組確認用通信を開始することで、前記無線親機と縁組済みの前記無線子機を確認することを特徴とする請求項８記載の無線テレメータシステム。
【発明の詳細な説明】
【技術分野】
【０００１】
この発明は、無線テレメータシステムに関し、特に無線親機と縁組済みの無線子機が縁組関係についての確認機能を有する無線テレメータシステムに関する。
【背景技術】
【０００２】
ガス、水道などのマイクロコンピュータを搭載しているメータ用に開発された無線テレメータシステムにおいては、通常１台のメイン端末（無線親機）に対して、複数台のサブ端末（無線子機）が縁組されており、いわゆるメイン−サブ縁組が形成されている（例えば、特許文献１を参照）。
【特許文献１】特開２００５−１８４４８０号公報
【０００３】
無線親機は、通常、複数の無線子機と縁組される。メインーサブの縁組作業では各端末に備わっている表示装置などにより、縁組が成功したかどうかの表示がなされる。一度、サブ−メイン縁組が成立した後、多数の無線子機の中でどの無線子機がどの無線親機と縁組されたかを作業者が確認をする手段としては、従来、設定器を繋いである電文を無線子機の端末に送り、その返信電文の中から識別符号を読み出すか、センタから読み出した値と一致した識別符号を持つ無線親機を探すなどという確認方法しか存在せず、作業が面倒なものになる。
【０００４】
このように、無線親機と無線子機との間について簡単にメインーサブ縁組の判別を可能にする手法はなく、そのため、無線子機の縁組相手として異なる無線親機が混在している場合などでは、無線親機と無線子機を設置する際にどの無線子機がどの無線親機と縁組されたものかを確認するのが簡単でなく、縁組関係の確認にはかなりの時間を要するという問題があった。
【発明の開示】
【発明が解決しようとする課題】
【０００５】
そこで、どの無線親機がどの無線子機と縁組みされているか容易に判断できれば、例えば色々な無線親機と縁組みされている無線子機が混在しているときでも、目的の無線子機を容易に選別でき、無線親機と無線子機とを設置するときの作業時間短縮にもつながるため、そのような縁組関係を容易に確認可能とする点で解決すべき課題がある。
【０００６】
本発明の目的は、メイン端末である無線親機又はサブ端末である無線子機を操作することにより、どの無線子機がどの無線親機と縁組みされているかを即座に確認可能となる無線テレメータシステムを提供することである。
【課題を解決するための手段】
【０００７】
上記の目的を達成するために本発明による無線テレメータシステムは、センターネットワーク装置に電話網を介して接続された端末ネットワーク装置と、前記端末ネットワーク装置に有線接続された複数の無線親機と、複数の前記無線子機に各有線続されたマイコンメータとによって構成された無線テレメータシステムであって、前記無線親機が当該無線親機側で縁組済みとされる前記無線子機のすべてに縁組確認用通信を開始し、前記縁組確認用通信を受信した前記無線子機は、前記無線親機との間で既に縁組済みの場合、表示手段に当該縁組済みの無線子機である旨の表示をすることを特徴とする。
【０００８】
この無線テレメータシステムによれば、無線親機と各無線子機とが情報を交換するという縁組作業を行うことで、無線通信が行えるようになる。無線親機を操作することにより、無線親機は無線親機側から縁組済みとされる無線子機のすべてと縁組確認用通信を開始し、その通信を受信している間中、その無線親機と縁組された無線子機は表示手段に縁組済みの無線子機である旨を表示する。したがって、作業者は、その表示を認識することによって、当該無線子機は目的の無線親機と縁組済みである旨を確認することができる。
【０００９】
この無線テレメータシステムにおいて、前記表示手段はＬＥＤとし、その表示は、ＬＥＤの点灯や点滅とすることが好ましい。この無線テレメータシステムによれば、点灯手段が点灯したことは、作業者の目視にて確認することができ、したがって、当該無線子機が無線親機と縁組関係にある無線子機であることをひと目で確認することができる。
【００１０】
この無線テレメータシステムにおいて、前記無線親機から前記各無線子機への前記縁組確認用通信の通信形態は、同時一斉に行われる同報通信であるとすることができる。この無線テレメータシステムによれば、無線親機から無線子機へ同時一斉に縁組確認用通信が行われるので、縁組がされている無線子機が複数存在していても、それらが同時に縁組済みである旨の表示を行う。したがって、作業者は無線子機の無線親機との縁組関係を短時間で確認することができる。
【００１１】
上記の無線テレメータシステムにおいて、複数の前記無線親機との間で縁組済みの前記無線子機が前記縁組確認用通信を受信したときに、縁組み時に登録された前記無線親機の識別符号に基づいて前記無線子機の前記表示手段で表示される表示パターンを変更することができる。この無線テレメータシステムによれば、作業者は、２台以上の無線親機で縁組確認が実行された場合に、表示がされる無線子機についてどの無線親機と縁組関係にあるのか、即ち、縁組済みの無線親機と無線子機とを他の縁組関係にある無線親機と無線子機とから区別して確認することができる。
【００１２】
無線親機の識別符号に基づいて表示手段での表示パターンを変更する上記の無線テレメータシステムにおいて、前記表示手段の表示パターンは、前記無線親機の前記識別符号の下１桁の符号を用いて変更することができる。例えば、無線親機に備わる操作手段がボタンであり、無線子機の表示手段としてＬＥＤが採用される場合には、無線子機は縁組された無線親機の識別符号の下一桁によってＬＥＤ点灯パターンを分けておき、無線親機においてボタンが押下げ操作されるとき、同報通信を受信した無線子機で同じ点灯パターンのものが同じ無線親機と縁組されているものとして判別できる。このように、複数の無線親機に対してそれぞれ無線子機が縁組されているときでも、縁組済みの無線子機が同じ表示パターンを頼りにして、縁組確認をすることができる。この場合、無線親機においても、自身の一意の符号である識別符号の下一桁で点灯パターンが分けられるＬＥＤを備えることが好ましい。
【００１３】
無線親機の識別符号を用いて表示手段での表示パターンを変更する上記の無線テレメータシステムにおいて、前記縁組確認用通信は前記無線親機自身の製造番号を含み、前記縁組確認用通信を受信した前記無線子機は、前記表示手段に前記製造番号を１桁ずつ表示させることができる。無線親機の数が多数である場合には、縁組された無線子機に対して識別符号として無線親機自身の製造番号を送信し、それを受信した無線子機がその製造番号を一桁ずつ切り替えて表示手段で表示していくことで、縁組されている無線子機はどの無線親機と縁組されているかを判別することができる。
【００１４】
識別符号として無線親機自身の製造番号を一桁ずつ切り替えて表示する上記の無線テレメータシステムにおいて、前記表示手段は、前記無線親機の前記製造番号を一桁ずつ、一定時間の経過により又は前記無線子機の操作により、切り替えることができる。無線子機に備わる操作手段を操作することによって、表示手段は、無線親機の製造番号を一桁ずつ、例えばタイマの設定によって一定時間の経過によりその経過毎に、或いは無線親機に備えられている操作手段である例えばボタンを押す操作毎に、受信したメインの製造番号表示を表示手段に一桁ずつ切り替えて表示をする。これにより、縁組済みの無線親機の製造番号すべての桁を表示可能となり、縁組済みの無線親機を特定することができる。
【００１５】
上記の無線テレメータシステムにおいて、前記無線子機が当該無線子機との間で縁組済みの前記無線親機と通信を開始し、前記通信を受信した前記無線親機が縁組済みの前記無線子機のすべてに対して同時に前記縁組確認用通信を開始して、前記縁組確認用通信を受信した前記無線子機が前記表示をすることで縁組済みの前記無線子機を確認することができる。即ち、無線親機からのみではなく、無線子機に備えられた操作手段を押すことによって無線親機にアクセスし、受信した無線親機が縁組されている無線子機に対して同報通信で縁組確認用通信を行い、上記の縁組確認処理を行うことによって、無線親機と縁組済みの無線子機を確認することができる。
【００１６】
更に、上記の無線子機の操作に基づいて縁組確認開始ができる無線テレメータシステムにおいて、前記無線子機に設定器を接続し、前記設定器から電文を送信することで前記無線親機との前記通信を開始して、前記無線親機が縁組済みの前記無線子機のすべてに同時に前記縁組確認用通信を開始することで、前記無線親機と縁組済みの前記無線子機を確認することができる。即ち、無線子機から設定器を用いて無線親機にアクセスし、無線親機が縁組されている全無線子機に対して同報通信で縁組確認用通信を行い、縁組確認処理を行うことにより、無線親機と縁組済みの無線子機を確認することができる。
【発明の効果】
【００１７】
この発明による無線テレメータシステムは、上記の手段を用いることで、特定の無線親機と縁組済みの無線子機のすべてを、無線子機を見るだけで容易に確認でき、多数の無線子機の中から特定の無線親機と縁組済みの無線子機のみを選別可能となる。そして、設置時の時間短縮を図れるようになる。
【発明を実施するための最良の形態】
【００１８】
以下、本発明の好適な実施の形態を図面を参照して説明する。図１は、本発明の無線テレメータシステムの好ましい実施形態を示すブロック図である。図１に示す無線テレメータシステムは、ホストコンピュータ１１（以下、「ホスト」と称す）と、ホスト１１に接続されたセンターネットワーク装置（以下、「センタＮＣＵ」という）１２と、端末ネットワーク装置（以下、「端末ＮＣＵ」という）１３と、複数の無線親機（メイン端末）１４と、複数の無線子機（サブ端末）１７，１８と、複数のメータ２３とから構成されている。
【００１９】
センタＮＣＵ１２は、電話回線２４を介して端末ＮＣＵ１３に対して接続されている。端末ＮＣＵ１３は、電話回線２４Ａを介して各無線親機１４に接続されている。各無線親機１４，１５，１６は破線で示すグループをそれぞれ形成しており、破線で示す各グループ内は通信可能な関係、即ち縁組み確認可能な所謂メイン−サブ関係を示している。
【００２０】
図１では、一例として３つのグループを示しており、１つ目のグループの無線親機１４と無線子機１７，１８とは無線でデータ通信を行う。同様にして、２つ目のグループの無線親機１５と無線子機１９，２０とは無線でデータ通信を行う。更に３つ目のグループの無線親機１６と無線子機２１，２２とは無線でデータ通信を行う。それぞれの無線子機は、他の縁組みされていない他のグループの無線親機とは、無線でデータ通信を行うことはできない。例えば無線親機１４は、隣のグループの無線子機１９との間で無線によるデータ通信を行うことはできない。各グループの各メータ２３は、マイクロコンピュータを搭載している例えば電気メータ、ガスメータ、水道メータ等のマイコンメータである。
【００２１】
図２（ａ）は、図１に示す無線親機１４，１５，１６の電気的な構成例を示すブロック図であり、図２（ｂ）は、無線子機１７，１８，１９，２０，２１，２２の電気的な構成例を示すブロック図である。
【００２２】
図２（ａ）に示す無線親機１４，１５，１６は、不揮発性メモリ２０２、ＣＰＵ２０３、無線部２０４、アンテナ２０５、ＲＡＭ２０７、ＲＯＭ２０６、表示部２０９、端末ＮＣＵＩ／Ｆ（インターフェース）２０１、及び電池２０８を有している。図２（ｂ）に示す無線子機１７，１８，１９，２０，２１，２２は、不揮発性メモリ２０２、ＣＰＵ２０３、無線部２０４、アンテナ２０５、ＲＡＭ２０７、ＲＯＭ２０６、表示部２０９、メータＩ／Ｆ（インターフェース）２１０、及び電池２０８を有している。このように、無線親機１４，１５，１６及び無線子機１７，１８，１９，２０，２１，２２は、それぞれ識別符号などのデータ記録のために不揮発性メモリ２０２を内蔵している。また、ＣＰＵ（中央処理装置）２０３は、時計機能やタイマ機能を有したものである。
【００２３】
無線親機と無線子機との間の縁組（以下、メイン−サブ縁組という）について、主に１つ目のグループの無線親機１４と無線子機１７，１８を代表して構成と動作を説明するが、他のグループにおいても同様である。メイン−サブ縁組とは、無線親機と無線子機がお互いに通信に必要な情報を交換し、以後、無線親機と無線子機間で通信が可能となるようにするための作業である。ここで、通信に必要な情報とは、それぞれの識別符号といった端末ごとに一意に定められた符号などを指す。このような縁組作業では、通常、端末に備えられているＬＥＤ（発光ダイオード）が、縁組に成功するときには点灯し、失敗するときには点滅するなどのように、縁組作業結果がひと目でわかるようになっていることが多い。しかし、一度、メイン−サブ縁組が成立してしまった後には、上記したように、多数の無線子機がそれぞれどの無線親機と縁組されたかを知るには、作業が面倒であり、無線親機と無線子機を設置する際に縁組関係を確認するのに相当の時間を要していた。
【００２４】
そこで、どの無線親機がどの無線子機と縁組みされているか容易に目視等で判断可能なことが求められており、本発明の実施形態では、無線親機に備えられている操作手段（指示入力部）を操作する。操作手段の一例としてボタンを挙げているが、それ以外にも、例えばタッチパネル等の任意も操作手段を用いることができる。作業者がこのボタンを押下すると、ボタンを押している間中、もしくはある一定時間、図１に示す無線親機１４は縁組済みの無線子機１７，１８に対して同時に、縁組確認用通信の同報通信を開始する。縁組確認用通信は、通信データの中にメイン−サブ縁組の確認用の通信であるということが分かるデータが埋め込まれている。無線子機１７，１８は、既にその無線親機１４と縁組済みであるということが前提のため、無線親機１４と縁組済みの無線子機１７，１８もすべてが無線親機１４からの通信を受信することができる。
【００２５】
一旦無線親機１４と、メイン−サブ縁組済みの無線子機のすべて（無線子機１７，１８）との間で通信リンクが確立すれば、無線子機１７，１８は起動状態にあるため、以後無線親機１４は、ある一定周期（例えば３秒）で縁組み確認用の電文（以下、「縁組確認電文」という）を無線子機１７，１８に対して送信し続ける。
【００２６】
無線子機１７，１８は、一旦、縁組確認電文を受信し、無線親機１４とのリンクを確立すると、ある一定周期で縁組確認電文が継続的に受信しているか確認し、縁組確認電文を受信していればこの電文を判定する。判定の結果、無線親機１４からの縁組済み電文であると分かると、無線子機１７，１８に備えられている表示部２０９の点灯手段であるＬＥＤは、点灯又は点滅をつづける。また、一定周期ごとの確認で縁組確認電文以外の電文を受信すればその電文に対する処理をし、また何も受信していない状態が何回か続けば、つまり無線親機１４からの縁組確認電文の送信が止まれば、ＬＥＤの点灯表示を止め、メイン−サブの縁組確認処理を終了する。
【００２７】
無線親機１４と縁組みされていない別のグループの無線子機１９，２０，２１，２２は、無線親機１４と通信できないため、起動することはない。このため、無線子機１９，２０，２１，２２のＬＥＤが点灯もしくは点滅することはない。たくさんある無線子機の中から、ＬＥＤが点灯又は点滅している無線子機（例えば、１７，１８）がその無線親機（例えば、１４）と縁組みされていると判断できる。
【００２８】
図３は、図１の１つのグループにおけるメイン−サブ縁組の確認処理の流れをより具体的に示している。図３では、無線親機１４において、縁組確認開始の操作手段であるボタンが押されると、一定時間後に繰り返して縁組確認電文が無線子機１７，１８に送られる。この縁組確認電文が無線子機１７，１８において受信されると、データ解析してＬＥＤを点灯表示又は点滅させる。一定時間の間、縁組確認電文が受信されないと、縁組確認が終了となりＬＥＤは消灯する。このボタンを放せば、縁組確認終了となる。例えば隣のグループの無線子機１９は無線親機１４とは縁組みされていないので、無線子機１９は、無線親機１４からの縁組確認電文は受信しない。
【００２９】
図４は、無線子機１７，１８についての動作手順を示すフローチャートである。図４において、無線子機１７，１８が無線親機１４から縁組確認電文を受信すると（ステップ１、「Ｓ１」と略す。以下同じ。）、縁組確認電文かどうかを確認して（Ｓ２）、縁組確認電文ではないときには他の電文を処理する（Ｓ３）。
Ｓ２おいて受信電文が縁組確認電文である場合には、タイマ計測を開始して（Ｓ４）、タイマで設定された時間だけＬＥＤを点灯表示又は点滅させる（Ｓ５）。その後、タイマを確認して（Ｓ６）、タイムオーバーとなればＬＥＤを消灯する（Ｓ７）。そして、縁組確認作業が終了する（Ｓ８）。
タイマを確認した結果（Ｓ６）一定時間内であると、無線子機１７，１８が縁組確認電文を受信しているかどうかを確認して、受信していればタイマの初期化をして（Ｓ１０）、タイマ再計測を開始する（Ｓ１１）。
【００３０】
図５は、無線親機１４についての動作手順を示すフローチャートである。図５において、無線親機１４のボタンを押すと（Ｓ２１）、縁組みされている無線子機１７，１８のすべてに縁組確認電文が無線親機１４同時通信される（Ｓ２２）。同時通信によりタイマ計測が開始すると（Ｓ２３）、ボタンが押されているかを判定して（Ｓ２４）、押されていないと縁組確認は終了する（Ｓ２５）。
ボタンが押されていると（Ｓ２４）、一定時間経過したかを判定して（Ｓ２６）、一定時間が経過していると（Ｓ２６）、無線親機１４は縁組みされている無線子機１７，１８のすべてに縁組確認電文を同時通信する（Ｓ２７）。その後タイマ再計測を開始する（Ｓ２８）。
【００３１】
また、２台以上の無線親機について同時にメイン−サブ縁組の確認がされたときに、どの無線子機がどの無線親機と縁組されているか区別できるようにするため、例えば、無線親機の識別符号の下１桁を利用して、表示手段であるＬＥＤの表示が変更される。メイン−サブ縁組時には、無線親機と無線子機について互いの識別符号が交換されているため、例えば無線親機１４と縁組済みの無線子機１７，１８は、縁組時に無線親機１４の識別符号を記憶している。同様にして、無線親機１５と縁組済みの無線子機１９，２０は縁組時に無線親機１５の識別符号を記憶し、無線親機１６と縁組済みの無線子機２１，２２は縁組時に無線親機１６の識別符号を記憶している。ここで、無線親機１４（識別符号０１とする）と、無線親機１５（識別符号０２とする）とが、同時にメイン−サブ縁組の確認がされた場合には、メイン−サブ縁組について縁組確認電文を受信した無線子機は、例えば図６のようにメインの識別符号の下一桁を表すＬＥＤ点灯をさせて、どの無線親機とのメイン−サブ縁組であるのかが区別して表示される。このように、複数の無線親機と縁組みされている無線子機が混在しているときでも、目的の無線子機をすぐに目視で選別でき、無線親機と無線子機とを設置するときの作業時間短縮にもつながる。
【００３２】
図６（ａ）では、無線親機１４と無線子機１７，１８の例を示しており、無線親機１４のボタンが押されて縁組確認が開始されると、縁組確認電文が無線子機１７，１８に送られ得る。この際に、縁組確認処理としては、上述したように、無線親機１４の識別符号下１桁＝１より、ＬＥＤが４つの場合にはＬＥＤ表示は「１」を表す○○○●（ＯＦＦ，ＯＦＦ，ＯＦＦ，ＯＮ）となる。また、図６（ｂ）に示す無線親機１５と無線子機１９，２０の例では、無線親機１５のボタンが押されて縁組確認が開始されると、縁組確認電文が無線子機１９，２０に送られ得る。この際に、縁組確認処理としては、上述したように、無線親機１５の識別符号下１桁＝２より、ＬＥＤが４つの場合にはＬＥＤ表示は「２」を表す○○●○（ＯＦＦ，ＯＦＦ，ＯＮ，ＯＦＦ）となる。
【００３３】
このように、製造番号（識別符号の一例）について、例えば０〜９の数字の表現をするためには、ＬＥＤは最小４つ必要となる。この場合、無線親機１４と縁組した無線子機１７，１８は、「１」を表す表示であり、無線親機１５と縁組した無線子機１９，２０は、「２」を表す表示となる。この手法を用いたとき、無線親機の識別符号下一桁が０の場合、全点灯といった処理にすれば、全消灯になることはない。こうすることで、同じ点灯パターンをしているものは、同じメインと縁組みされている無線子機と判断できる。
【００３４】
また上記の内容では、最大１０台同時に接続されても縁組済みメイン−サブ縁組を特定することができるが、もっと多数の無線親機について同時にメイン−サブ縁組の確認がされた場合には、無線親機の縁組確認電文の送信時に無線親機自身の製造番号も付加して送信する。このように製造番号を付加して送信するのは、製造番号は、無線機の端末に記載してあり外部から確認しやすい固有の情報だからである。受信した無線子機を見ることで、縁組済みの無線親機を目視で特定することができる。縁組みされた無線親機の縁組確認電文と製造番号を受信した無線子機は、図７のように一桁ずつＬＥＤ表示していく。製造番号もすべて０〜９の数字のため、ＬＥＤは最小４個必要となる。
【００３５】
図７では、縁組み確認処理において、例えば無線親機の製造番号＝１２３４であることにより、ＬＥＤが４つの場合にはＬＥＤ表示は図７に示すように一定時間経過、もしくはボタンを押し下げたことにより表示を順番に切り替えることができる。表示切替にはタイマを用い、ある一定時間表示させれば次の桁の表示に切り替えるようにする。また、表示切替に無線子機に備えられたボタンを用いて、一桁ずつ切り替えても良い。この場合は、ユーザが自分の意思でＬＥＤ表示における桁送りができるため、よりすばやく縁組されている無線親機を特定できる。このように、すべての桁の無線親機の製造番号表示をＬＥＤで表示させるため、無線子機のＬＥＤ表示を見るだけで、無線子機がどの無線親機と縁組みされているかが特定できる。これらの場合の無線子機の処理は、無線親機から縁組確認電文と製造番号とを受信すると、一定時間（例えば１分間）このモードに入るようにし、その間ＬＥＤ表示し続けるようにする。
【００３６】
逆に、無線子機１８からの操作で無線親機１４に対する縁組確認ができるように、無線親機ではなく無線子機に備えられている操作手段としてのボタンを利用する。図８に示すように、無線子機１８は、既に無線親機１４と縁組済みのために、無線子機１８は無線親機１４と通信することができる。無線子機１８の操作手段であるボタンを押下すると、無線子機１８は無線親機１４に対して、縁組確認要求電文を送信する。そして縁組確認要求電文を受信した無線親機１４は、縁組された無線子機のすべて１７、１８に対して、同報通信で縁組確認電文送信を開始する。あとは、これまでに示してきたようなＬＥＤ表示を無線子機側でさせればよい。
【００３７】
また、上述したように無線子機１８に備えられたボタンを押す代わりに、図９に示すように、無線子機１８に設定器１００を接続して、この設定器１００からある電文を無線親機１４に送信することで、無線子機１８が無線親機１４に対して縁組確認要求電文を送信し、それを受信した無線親機１４が全部の無線子機１７，１８に対して、縁組確認電文を送信するようにしても良い。
【産業上の利用可能性】
【００３８】
本発明は、上記実施形態に限定されず、特許請求の範囲を逸脱しない範囲で種々の変更を行うことができる。上記実施形態の各構成は、その一部を省略する、或いは上記とは異なるように任意に組み合わせることができる。無線親機においても、自身の一意の符号である識別符号の下一桁で点灯パターンが分けられるＬＥＤを備えることができる。
【図面の簡単な説明】
【００３９】
【図１】本発明の実施形態にかかる無線テレメータシステムのシステム図である。
【図２】本発明の実施形態にかかるメインとサブのブロック図である。
【図３】本発明にかかるメイン、サブ間の縁組確認シーケンス図である。
【図４】本発明にかかるサブの縁組確認フローチャートである。
【図５】本発明にかかるメインの縁組確認フローチャートである。
【図６】本発明にかかるメイン、サブ間の縁組確認のシーケンス図である。
【図７】本発明にかかるメイン、サブ間の縁組確認のシーケンス図である。
【図８】本発明にかかるメイン、サブ間の縁組確認のシーケンス図である。
【図９】本発明にかかるメイン、サブ間の縁組確認のシーケンス図である。
【符号の説明】
【００４０】
１１  ホスト                          １２  センタＮＣＵ
１３  端末ＮＣＵ
１４，１５，１６  無線親機（メイン）
１７，１８，１９，２０，２１，２２  無線子機（サブ）
２３  メータ                          ２４  電話回線
２０１  Ｔ−ＮＣＵと接続のためのＩ／Ｆ
２０２  データ登録用不揮発性メモリ
２０３  ＣＰＵ
２０４  無線通信ユニット
２０５  アンテナ
２０６  ＲＯＭ
２０７  ＲＡＭ
２０８  電池
２０９  通信結果などを表示するための、表示部
２１０  メータなどの接続のためのＩ／Ｆ
【図１】
2007173965.tif 000003
【図２】
2007173965.tif 000004
【図３】
2007173965.tif 000005
【図４】
2007173965.tif 000006
【図５】
2007173965.tif 000007
【図６】
2007173965.tif 000008
【図７】
2007173965.tif 000009
【図８】
2007173965.tif 000010
【図９】
2007173965.tif 000011